(57)【要約】【課題】希望の相手同士が接近したときに、リアルタイムにそれを通知するコミュニケーション支援システムを提供する。【解決手段】移動通信網と接続されるそれぞれの端末は、それぞれの端末のユーザに関する情報を記憶する記憶部と、移動通信網と異なる無線回線を介して通信する通信部と、お互いのユーザ情報を照合する照合部と、照合結果を用いて判定する判定部と、判定結果が前記第１の判定情報のときに、その判定結果を、それぞれのユーザに通知する通知部とを備えることを特徴とする。【選択図】図１
2008245113.tif 000002
【特許請求の範囲】
【請求項１】
移動通信網と接続される第１の端末と、移動通信網と接続される第２の端末とを備えるコミュニケーション支援システムにおいて、
前記第１の端末は、
前記第１の端末を所持する第１のユーザに関する第１のユーザ情報を記憶する第１の記憶部と、
前記移動通信網と異なる無線回線を介して、前記第１のユーザ情報を前記第２の端末に送信し、第１の照合結果を前記第２の端末に送信し、第２のユーザ情報を前記第２の端末から受信し、第２の照合結果を前記第２の端末から受信する第１の通信部と、
前記第１のユーザ情報と前記第２のユーザ情報とを照合し、前記第１の照合結果を出力する第１の照合部と、
前記第１の照合結果と前記第２の照合結果とを用いて判定し、第１の判定情報または第２の判定情報を有する判定結果を出力する第１の判定部と、
前記判定結果が前記第１の判定情報のときに、前記判定結果を、前記第１のユーザに通知する第１の通知部とを備え、
前記第２の端末は、
前記第２の端末を所持する第２のユーザに関する前記第２のユーザ情報を記憶する第２の記憶部と、
前記無線回線を介して、前記第２のユーザ情報を前記第１の端末に送信し、前記第２の判定結果を前記第１の端末に送信し、前記第１のユーザ情報を前記第１の端末から受信し、前記第１の判定結果を前記第１の端末から受信する第２の通信部と、  
前記第１のユーザ情報と前記第２のユーザ情報とを照合し、前記第２の照合結果を出力する第２の照合部と、
前記第１の照合結果と前記第２の照合結果とを用いて判定し、前記第１の判定情報または前記第２の判定情報を有する前記判定結果を出力する第２の判定部と、
前記判定結果が前記第１の判定情報のときに、前記判定結果を、前記第２のユーザに通知する第２の通知部と
を備えることを特徴とするコミュニケーション支援システム。
【請求項２】
請求項１に記載されるコミュニケーション支援システムにおいて、
前記第１のユーザ情報は、前記第１のユーザの特徴を示す第３のユーザ情報と、第１ユーザが希望する第４のユーザ情報を有し、
前記第２のユーザ情報は、前記第２のユーザの特徴を示す第５のユーザ情報と、第２ユーザが希望する第６のユーザ情報を有し、
前記第１の通信部は、
前記無線回線を介して、前記第１のユーザ情報のうち前記第３のユーザ情報を前記第２の端末に送信し、
前記第２の通信部は、
前記無線回線を介して、前記第２のユーザ情報のうち前記第５のユーザ情報を前記第１の端末に送信し、
前記第１の照合部は、
前記第１のユーザ情報における第４のユーザ情報と、前記第２のユーザ情報における前記第５のユーザ情報とを照合し、前記第１の照合結果を出力し、
前記第２の照合部は、
前記第１のユーザ情報における第３のユーザ情報と、前記第２のユーザ情報における前記第６のユーザ情報とを照合し、前記第２の照合結果を出力すること
を備えることを特徴とするコミュニケーション支援システム。
【請求項３】
請求項１に記載されるコミュニケーション支援システムにおいて、
前記第１のユーザ情報は、前記第１のユーザの特徴を示す第３のユーザ情報と、第１ユーザが希望する第４のユーザ情報を有し、
前記第２のユーザ情報は、前記第２のユーザの特徴を示す第５のユーザ情報と、第２ユーザが希望する第６のユーザ情報を有し、
前記第１の通信部は、
前記無線回線を介して、前記第１のユーザ情報のうち前記第４のユーザ情報を前記第２の端末に送信し、
前記第２の通信部は、
前記無線回線を介して、前記第２のユーザ情報のうち前記第６のユーザ情報を前記第１の端末に送信し、
前記第１の照合部は、
前記第１のユーザ情報における第３のユーザ情報と、前記第２のユーザ情報における前記第６のユーザ情報とを照合し、前記第１の照合結果を出力し、
前記第２の照合部は、
前記第１のユーザ情報における第４のユーザ情報と、前記第２のユーザ情報における前記第５のユーザ情報とを照合し、前記第２の照合結果を出力すること
を備えることを特徴とするコミュニケーション支援システム。
【請求項４】
請求項１に記載されるコミュニケーション支援システムにおいて、
前記第１の通知部は、さらに所定の時間、前記第２の端末における第２の端末情報を通知し、
前記第２の通知部は、さらに所定の時間、前記第１の端末における第１の端末情報を通知すること
を特徴とするコミュニケーション支援システム。
【請求項５】
請求項４に記載されるコミュニケーション支援システムにおいて、
前記第１の端末は、
前記第２の端末情報における電話番号を用い、前記移動通信網を介して前記第２の端末に、接続要求信号を送信する第３の通信部を備え、
前記第２の端末は、
前記移動通信網を介して、前記接続要求信号を受信する第４の通信部を備え、
前記第２の通知部は、さらに
前記接続要求が前記第１の判定情報である前記判定結果に関する接続要求であるときに、前記第１の端末情報における電話番号と前記判定結果を、前記第２のユーザに通知すること
を特徴とするコミュニケーション支援システム。
【請求項６】
請求項４に記載されるコミュニケーション支援システムにおいて、
前記第１の端末は、
前記第２の端末情報におけるメールアドレスを用い、前記移動通信網を介して前記第２の端末に、電子メールを送信する第３の通信部を備え、
前記第２の端末は、
前記移動通信網を介して、前記メールを受信する第４の通信部を備え、
前記第２の通知部は、さらに
前記メールが前記第１の判定情報である前記判定結果に関するメールであるときに、前記メールを、前記第２のユーザに通知すること
を特徴とするコミュニケーション支援システム。
【請求項７】
移動通信網と接続される第１の端末と、移動通信網と接続される第２の端末とを備えるコミュニケーション支援システムにおけるコミュニケーション支援方法において、
前記第１の端末は、
前記第１の端末を所持する第１のユーザに関する第１のユーザ情報を記憶する第１の記憶ステップと、
前記移動通信網と異なる無線回線を介して、前記第１のユーザ情報を前記第２の端末に送信する第１の送信ステップと、
前記無線回線を介して、第２のユーザ情報を前記第２の端末から受信する第１の受信ステップと、
前記第１のユーザ情報と前記第２のユーザ情報とを照合し、前記第１の照合結果を出力する第１の照合ステップと、
前記第１の照合結果を、前記第２の端末に送信する第２の送信ステップと、
前記第２の照合結果を、前記第２の端末から受信する第２の受信ステップと、
前記第１の照合結果と前記第２の照合結果とを用いて判定し、第１の判定情報または第２の判定情報を有する判定結果を出力する第１の判定ステップと、
前記判定結果が前記第１の判定情報のときに、前記判定結果を、前記第１のユーザに通知する第１の通知ステップとを備え、
前記第２の端末は、
前記第２の端末を所持する第２ユーザに関する前記第２のユーザ情報を記憶する第２の記憶ステップと、
前記第２のユーザ情報を、前記第１の端末に送信する第３の送信ステップと、
前記第１のユーザ情報を、前記第１の端末から受信する第３の受信ステップと、
前記第１のユーザ情報と前記第２のユーザ情報とを照合し、前記第２の照合結果を出力する第２の照合ステップと、
前記第２の照合結果を、前記第１の端末に送信する第４の送信ステップと、
前記第１の照合結果を、前記第１の端末から受信する第４の受信ステップと、
前記第１の照合結果と前記第２の照合結果とを用いて判定し、前記第１の判定情報または前記第２の判定情報を有する前記判定結果を出力する第２の判定ステップと、
前記判定結果が前記第１の判定情報のときに、前記判定結果を、前記第２のユーザに通知する第２の通知ステップと
を備えることを特徴とするコミュニケーション支援方法。
【請求項８】
請求項７に記載されるコミュニケーション支援方法において、
前記第１の送信ステップは、前記第１のユーザ情報のうち前記第３のユーザ情報を前記第２の端末に送信し、
前記第１の受信ステップは、前記第２のユーザ情報のうち前記第５のユーザ情報を前記第２の端末から受信し、
前記第１の照合ステップは、前記第１のユーザ情報における前記第４のユーザ情報と前、前記第２のユーザ情報における前記第５のユーザ情報とを照合し、前記第１の照合結果を出力し、
前記第３の送信ステップは、前記第２のユーザ情報のうち前記第５のユーザ情報を前記第１の端末に送信し、
前記第３の受信ステップは、前記第１のユーザ情報のうち前記第３のユーザ情報を前記第１の端末から受信し、
前記第２の照合ステップは、前記第１のユーザ情報における前記第３のユーザ情報と前記第２のユーザ情報における前記第６のユーザ情報とを照合し、前記第２の照合結果を出力すること
を特徴とするコミュニケーション支援方法。
【請求項９】
請求項７に記載されるコミュニケーション支援方法において、
前記第１の送信ステップは、前記第１のユーザ情報のうち前記第４のユーザ情報を前記第２の端末に送信し、
前記第１の受信ステップは、前記第２のユーザ情報のうち前記第６のユーザ情報を前記第２の端末から受信し、
前記第１の照合ステップは、前記第１のユーザ情報における前記第３のユーザ情報と前記第２のユーザ情報における前記第６のユーザ情報とを照合し、前記第１の照合結果を出力し、
前記第３の送信ステップは、前記第２のユーザ情報のうち前記第６のユーザ情報を前記第１の端末に送信し、
前記第３の受信ステップは、前記第１のユーザ情報のうち前記第４のユーザ情報を前記第１の端末から受信し、
前記第２の照合ステップは、前記第１のユーザ情報における前記第４のユーザ情報と前記第２のユーザ情報における前記第５のユーザ情報とを照合し、前記第２の照合結果を出力すること
を特徴とするコミュニケーション支援方法。
【請求項１０】
請求項７に記載されるコミュニケーション支援方法において、
前記第１の通知ステップは、さらに所定の時間、前記第２の端末における第２の端末情報を通知し、
前記第２の通知ステップは、さらに所定の時間、前記第１の端末における第１の端末情報を通知すること
を特徴とするコミュニケーション支援方法。
【請求項１１】
請求項１０に記載されるコミュニケーション支援方法において、
前記第１の端末は、
前記第２の端末情報における電話番号を用い、前記移動通信網を介して前記第２の端末に、接続要求信号を送信する第５の通信ステップを備え、
前記第２の端末は、
前記移動通信網を介して、前記接続要求信号を受信する第６の通信ステップと、
前記接続要求が前記第１の判定情報である前記判定結果に関する接続要求であるときに、前記第１の端末情報における電話番号と前記判定結果を、前記第２のユーザに通知する第３の通知ステップを備えること
を特徴とするコミュニケーション支援方法。
【請求項１２】
請求項１０に記載されるコミュニケーション支援方法において、
前記第１の端末は、
前記第２の端末情報におけるメールアドレスを用い、前記移動通信網を介して前記第２の端末に、電子メールを送信する第５の通信ステップを備え、
前記第２の端末は、
前記移動通信網を介して、前記メールを受信する第６の通信ステップと、
前記メールが前記第１の判定情報である前記判定結果に関するメールであるときに、前記メールを、前記第２のユーザに通知する第３の通知ステップを備えること
を特徴とするコミュニケーション支援方法。
【発明の詳細な説明】
【技術分野】
【０００１】
この発明は、身近な範囲に存在する端末同士が情報交換を行い、コミュニケーションを希望する端末が存在することを通知するコミュニケーション支援装置／コミュニケーション支援方法に関するものである。
【背景技術】
【０００２】
従来の携帯電話などのモバイル端末を用いたコミュニケーション支援システムとしては、例えば特開２００２−１０９０２５号公報のようなシステムが提案されている。このシステムは、利用者のプロフィールと交信希望相手のプロフィールを保存するデータベース、およびそのデ一タベースを基に仲介を行うプロフィールマッチング機能を、利用者のモバイル端末および交信希望相手のモバイル端末の外部に持つ。利用者と交信希望相手とのマッチング結果において交信受諾となったならば、利用者および交信希望相手における電話番号や電子メール等は、通知手段により通信網を通じて、利用者および交信希望相手に通知される。これによりコミュニティ形成が実現される。
【特許文献１】特開２００２−１０９０２５号公報
【発明の開示】
【発明が解決しようとする課題】
【０００３】
しかしながら、従来のコミュニケーション支援システムでは、データベース、およびプロフィールマッチング機能をモバイル端末外部に持つシステムは、（１）端末のユーザと交信希望相手が身近な範囲に存在することを確認することが難しく、（２）端末のユーザと交信希望相手とのマッチング結果において交信受諾となった際に即応に交信することが難しい。よって、このシステムでは、端末のユーザがマッチング結果を効果的に利用できるよう、希望の相手同士が接近したときに、リアルタイムにそれを通知することが難しいといった課題がある。
【０００４】
本発明は、このような従来の課題を解決し、端末のユーザがマッチング結果を効果的に利用できるよう、希望の相手同士が接近したときに、リアルタイムにそれを通知するコミュニケーション支援システム、およびコミュニケーション支援方法を提供することを目的とする。
【課題を解決するための手段】
【０００５】
かかる課題を解決するため、本発明のコミュニケーション支援システムは、移動通信網と接続される第１の端末と、移動通信網と接続される第２の端末とを備え、第１の端末は、第１の端末を所持する第１のユーザに関する第１のユーザ情報を記憶する第１の記憶部と、移動通信網と異なる無線回線を介して、第１のユーザ情報を第２の端末に送信し、第１の照合結果を第２の端末に送信し、第２のユーザ情報を第２の端末から受信し、第２の照合結果を第２の端末から受信する第１の通信部と、第１のユーザ情報と第２のユーザ情報とを照合し、第１の照合結果を出力する第１の照合部と、第１の照合結果と第２の照合結果とを用いて判定し、第１の判定情報または第２の判定情報を有する判定結果を出力する第１の判定部と、判定結果が第１の判定情報のときに、判定結果を、第１のユーザに通知する第１の通知部とを備え、第２の端末は、第２の端末を所持する第２のユーザに関する第２のユーザ情報を記憶する第２の記憶部と、無線回線を介して、第２のユーザ情報を第１の端末に送信し、第２の判定結果を第１の端末に送信し、第１のユーザ情報を第１の端末から受信し、第１の判定結果を第１の端末から受信する第２の通信部と、第１のユーザ情報と第２のユーザ情報とを照合し、第２の照合結果を出力する第２の照合部と、第１の照合結果と、第２の照合結果とを用いて判定し、第１の判定情報または第２の判定情報を有する判定結果を出力する第２の判定部と、判定結果が第１の判定情報のときに、判定結果を、第２のユーザに通知する第２の通知部とを備えることを特徴とする。
【０００６】
かかる課題を解決するため、本発明のコミュニケーション支援方法は、移動通信網と接続される第１の端末と、移動通信網と接続される第２の端末とを備えるコミュニケーション支援システムにおいて、第１の端末は、第１の端末を所持する第１のユーザに関する第１のユーザ情報を記憶する第１の記憶ステップと、移動通信網と異なる無線回線を介して、第１のユーザ情報を第２の端末に送信する第１の送信ステップと、無線回線を介して、第２のユーザ情報を第２の端末から受信する第１の受信ステップと、第１のユーザ情報と第２のユーザ情報とを照合し、第１の照合結果を出力する第１の照合ステップと、第１の照合結果を、第２の端末に送信する第２の送信ステップと、第２の照合結果を、第２の端末から受信する第２の受信ステップと、第１の照合結果と第２の照合結果とを用いて判定し、第１の判定情報または第２の判定情報を有する判定結果を出力する第１の判定ステップと、判定結果が第１の判定情報のときに、判定結果を、第１のユーザに通知する第１の通知ステップとを備え、第２の端末は、第２の端末を所持する第２ユーザに関する第２のユーザ情報を記憶する第２の記憶ステップと、第２のユーザ情報を、第１の端末に送信する第３の送信ステップと、第１のユーザ情報を、第１の端末から受信する第３の受信ステップと、第１のユーザ情報と第２のユーザ情報とを照合し、第２の照合結果を出力する第２の照合ステップと、第２の照合結果を、第１の端末に送信する第４の送信ステップと、第１の照合結果を、第１の端末から受信する第４の受信ステップと、第１の照合結果と、第２の照合結果とを用いて判定し、第１の判定情報または第２の判定情報を有する判定結果を出力する第２の判定ステップと、判定結果が第１の判定情報のときに、判定結果を、第２のユーザに通知する第２の通知ステップとを備えることを特徴とする。
【発明の効果】
【０００７】
本発明のコミュニケーション支援システム、およびコミュニケーション支援方法によれば、照合に用いる第１のユーザに関わる情報を第２の端末に送信するとともに第２のユーザに関わる情報を第１の端末に送信し、互いの端末にて第１のユーザに関わる情報と第２のユーザに関わる情報を照合／判定するので、リアルタイムに判定結果を端末を所持するユーザに通知するとともに、照合／判定のときの改竄を防止することが可能となる。
【発明を実施するための最良の形態】
【０００８】
以下、本発明の実施例を図１〜図５を参照しつつ詳細に説明する。
【０００９】
（Ａ）第１の実施形態
（Ａ−１）第１の実施形態の構成
図１は本発明のコミュニケーション支援システムの構成を示す図であり、図１を用いてコミュニケーション支援システムの構成が説明される。
【００１０】
本発明のコミュニケーション支援システム１は、第１の端末２と、第２の端末３と、移動通信網４と、近距離／短距離の無線回線５を備える。第１の端末２は、第１のユーザが所持している端末である。第２の端末３は、第２のユーザが所持している端末である。移動通信網４は、電話や電子メール等の手段を用いて、第１の端末２と第２の端末３との間の通信を提供する。近距離／短距離用の無線回線５は、ブルートゥース、ＩＳＭ（Ｉｎｄｕｓｔｒｉａｌ  Ｓｃｉｅｎｔｉｆｉｃ  Ｍｅｄｉｃａｌ  ｂａｎｄ）帯域を用いた無線通信、赤外線通信等などを用いて、第１の端末２と第２の端末３が身近な範囲に存在するときに第１の端末２と第２の端末３の間の通信を提供する。なお、ＩＳＭ帯域の一例としては、１３．５６ＭＨｚ帯、８００ＭＨｚ帯、９００ＭＨｚ帯、２．４ＧＨｚ帯、５ＧＨｚ帯などの無線周波数帯域であり、ＩＳＭ帯域を用いた無線通信の一例としては、ＩＣカード／無線タグを用いた無線システム、ブルートゥース、無線ＬＡＮ（ＩＥＥＥ  ８０２．１１ａ、ＩＥＥＥ  ８０２．１１ｂ、ＩＥＥＥ  ８０２．１１ｇなどである。
【００１１】
第１の端末２は、第１の記憶部１１（第１の記憶部１１には、第１の所有プロフィール記憶部１２、第１の希望プロフィール記憶部１３と第１のテンポラリー記憶部１４を有する）と、第１のプロフィールマッチング部１５と、第１のプロフィール判定部１６と、第１の通信部１７と、第２の通信部１８と、第１の通知部１９を有する。
【００１２】
第１の所有プロフィール記憶部１２は、第1の所有プロフィールを記憶する。第1の所有プロフィールとしては、例えば、第１の端末２のユーザ自身のプロフィール（趣味、職業、年齢、性別、年収など）である。
【００１３】
第１の希望プロフィール記憶部１３は、第1の希望プロフィールを記憶する。第1の希望プロフィールとしては、例えば、第１の端末２のユーザ自身の出会いたいユーザのプロフィール（趣味、職業、年齢、性別、年収など）である。
【００１４】
第１のテンポラリー記憶部１４は、後述される第２の端末３の端末情報、後述される第１のマッチング結果と後述される第１の判定結果が一時的に記憶される。
【００１５】
第１のプロフィールマッチング部１５は、第１の端末２におけるプロフィールと第２の端末３におけるプロフィールをマッチングし、第１のマッチング結果を出力する。具体的な一例としては、下記のように、第１の端末２におけるプロフィール（趣味、職業、年齢、性別、年収など）と、第２の端末３におけるプロフィール（趣味、職業、年齢、性別、年収など）をマッチングする。
プロフィール（第１の端末）                        プロフィール（第２の端末３）
趣味      ＜−  マッチング  −＞  趣味
職業      ＜−  マッチング  −＞  職業
年齢      ＜−  マッチング  −＞  年齢
性別      ＜−  マッチング  −＞  性別
年収      ＜−  マッチング  −＞  年収
その他、プロフィールの項目ごとにマッチングする。
【００１６】
第１のプロフィール判定部１６は、第１のマッチング結果と後述される第２のマッチング結果がともにマッチングした結果となった（ユーザが設定した所定の項目と所定の項目数が合致した結果となり、判定結果がＯＫ）か否か（ユーザが設定した所定の項目と所定の項目数が合致しない結果となり、判定結果がＮＧ）を判定する。第１のプロフィール判定部１６は、第１のマッチング結果と第２のマッチング結果に基づき、第１のマッチング結果と第２のマッチング結果がともにＯＫとなる結果であるか否かの判定結果として第１の判定結果を出力する。
【００１７】
第１の通信部１７は、移動通信網４を介して、後述される第２の端末３の第３の通信部２７と通信する。
【００１８】
第２の通信部１８は、近距離／短距離用の無線回線５を介して、後述される第２の端末３の第４の通信部２８と通信する。
【００１９】
第１の通知部１９は、第１の判定結果がＯＫであったことを第１のユーザに通知する。第１の通知部１９は、第１のテンポラリー記憶部１４から、第１の判定結果がＯＫとなった第２の端末３の情報を、第１のユーザに通知する。また、第１の通知部１９は、第１の判定結果がＮＧであるときに、第１の判定結果がＮＧであることを第１のユーザに通知しない。
【００２０】
第２の端末３は、第２の記憶部２１（第２の記憶部２１には、第２の所有プロフィール記憶部２２、第２の希望プロフィール記憶部２３と第２のテンポラリー記憶部２４を有する）と、第２のプロフィールマッチング部２５と、第２のプロフィール判定部２６と、第３の通信部２７と、第４の通信部２８と、第２の通知部２９を有する。
【００２１】
第２の所有プロフィール記憶部２２は、第２の所有プロフィールを記憶する。第２の所有プロフィールとしては、例えば、第２の端末３のユーザ自身のプロフィール（趣味、職業、年齢、性別、年収など）である。
【００２２】
第２の希望プロフィール記憶部２３は、第２の希望プロフィールを記憶する。第２の希望プロフィールとしては、例えば、第２の端末３のユーザ自身の出会いたいユーザのプロフィール（趣味、職業、年齢、性別、年収など）である。
【００２３】
第２のテンポラリー記憶部２４は、第１の端末２の端末情報、後述される第２のマッチング結果と後述される第２の判定結果が一時的に記憶される。
【００２４】
第２のプロフィールマッチング部２５は、第１の端末２におけるプロフィールと第２の端末３におけるプロフィールをマッチングし、第２のマッチング結果を出力する。具体的な一例としては、下記のように、第１の端末２におけるプロフィール（趣味、職業、年齢、性別、年収など）と、第２の端末３におけるプロフィール（趣味、職業、年齢、性別、年収など）をマッチングする。
プロフィール（第１の端末２）                      プロフィール（第２の端末３）
趣味      ＜−  マッチング  −＞  趣味
職業      ＜−  マッチング  −＞  職業
年齢      ＜−  マッチング  −＞  年齢
性別      ＜−  マッチング  −＞  性別
年収      ＜−  マッチング  −＞  年収
その他、プロフィールの項目ごとにマッチングする。
【００２５】
第２のプロフィール判定部２６は、第１のマッチング結果と第２のマッチング結果がともにマッチングした結果となった（ユーザが設定した所定の項目と所定の項目数が合致した結果となり、判定結果がＯＫ）か否か（ユーザが設定した所定の項目と所定の項目数が合致しない結果となり、判定結果がＮＧ）を判定する。第２のプロフィール判定部２６は、第１のマッチング結果と第２のマッチング結果に基づき、第１のマッチング結果と第２のマッチング結果がともにＯＫとなる結果であるか否かの判定結果として第２の判定結果を出力する。
【００２６】
第３の通信部２７は、移動通信網４を介して、第１の端末２の第１の通信部１７と通信する。
【００２７】
第４の通信部２８は、近距離／短距離用の無線回線５を介して、第１の端末２の第２の通信部１８と通信する。
【００２８】
第２の通知部２９は、第２の判定結果がＯＫであったことを第２のユーザに通知する。また、第２の通知部２９は、第２のテンポラリー記憶部２４から、第２の判定結果がＯＫとなった第１の端末２の情報を、第２のユーザに通知する。さらに、第２の通知部２９は、第１の端末２から電話の接続要求や、第１の端末２から電子メールが届いたことを通知する。また、第２の通知部２９は、第２の判定結果がＮＧであるときに、第２の判定結果がＮＧであることを第２のユーザに通知しない。
【００２９】
（Ａ−２）第１の実施形態の動作
図２は本発明の第１の実施形態におけるコミュニケーション支援システムの処理フローを示す図であり、図２を用いてコミュニケーション支援システムの処理フローが説明される。
【００３０】
＜ステップ１：第１の端末２から第２の端末３への問合せＳ０１＞
第１の端末２の第２の通信部１８（図１）は、近距離／短距離用の無線回線５（図１）を介して、第２の端末３の第４の通信部２８（図１）に、問合せ信号を送信し、第１の端末２と第２の端末３との間で通信出来るか否かの問い合わせをする。さらに、第１の端末２は、移動通信網４（図１）を介して通信する際に必要な第１の端末２に関する第１の端末情報（第１の端末２の電話番号、電子メールアドレスなど）も、第２の端末３に送信する。
【００３１】
＜ステップ２：問合せ信号の受信確認Ｓ０２＞
第２の端末３の第４の通信部２８（図１）は、ステップ１：第１の端末２から第２の端末３への問合せＳ０１に関する問合せ信号を受信できた（受信：ＯＫ）か否か（受信：ＮＧ）を確認する。
【００３２】
＜ステップ３：問合せ信号の受信がＮＧのときの処理Ｓ０３＞
第２の端末３は、処理ステップ１：第１の端末２から第２の端末３への問合せＳ０１を処理できる状態Ｓ０３ａにする。
【００３３】
＜ステップ４：問合せ信号の受信がＯＫのときの処理Ｓ０４＞
第２の端末３は、受信した第１の端末２の第１の端末情報を、第２のテンポラリー記憶部２４（図１）に記憶する。第２の端末３は、次のステップを処理できる状態にする。
【００３４】
＜ステップ５：第２の端末３から第１の端末２への問合せ応答Ｓ０５＞
第２の端末３の第４の通信部２８（図１）は、近距離／短距離用の無線回線５（図１）を介して、第１の端末２の第２の通信部１８（図１）に、問合せ信号に対して問合せ応答信号を送信する。さらに、第２の端末３は、移動通信網４（図１）を介して通信する際に必要な第２の端末３に関する第２の端末情報（第２の端末３の電話番号、電子メールアドレスなど）も、第１の端末２に送信する。
【００３５】
＜ステップ６：問合せ応答信号の受信確認Ｓ０６＞
第１の端末２の第２の通信部１８（図１）は、ステップ５：第２の端末３から第１の端末２への問合せ応答Ｓ０５に関する問合せ応答信号を受信したか否かを確認する。
【００３６】
＜ステップ７：問合せ応答信号の受信確認がＮＧのときの処理Ｓ０７＞
第１の端末２は、ステップ６：問合せ応答信号の受信確認Ｓ０６において、問合せ応答信号が受信できなかったとき（ＮＧのとき）、処理ステップ１：第１の端末２から第２の端末３への問合せＳ０１を処理できる状態Ｓ０７ａにする。
【００３７】
＜ステップ８：問合せ応答信号の受信確認がＯＫのときの処理Ｓ０８＞
第１の端末２は、ステップ６：問合せ応答信号の受信確認Ｓ０６において、問合せ応答信号が受信できたとき（ＯＫのとき）、第１の端末２は、受信した第２の端末３の第２の端末情報を、第１のテンポラリー記憶部１４（図１）に記憶する。第１の端末２は、次のステップを処理できる状態にする。
【００３８】
＜ステップ９：第１の端末２から第２の端末３への問合せ確認応答Ｓ０９＞
第１の端末２の第２の通信部１８（図１）は、近距離／短距離用の無線回線５（図１）を介して、第２の端末３の第４の通信部２８（図１）に、問合せ応答信号に対して問合せ確認応答信号（ＡＣＫ信号に相当）を送信し、第１の端末２と第２の端末３との間でそれぞれの端末のプロフィール信号を送信できる状態に移行する。
【００３９】
＜ステップ１０：第１の端末２−第２の端末３間のプロフィール信号の伝送Ｓ１０＞
第１の端末２の第２の通信部１８（図１）は、近距離／短距離用の無線回線５（図１）を介して、第２の端末３の第４の通信部２８（図１）に、第１の端末２のプロフィールの信号を送信する。また、第２の端末３の第４の通信部２８（図１）は、近距離／短距離用の無線回線５（図１）を介して、第１の端末２の第２の通信部１８（図１）に、第２の端末３のプロフィールの信号を送信する。
【００４０】
＜ステップ１１：第１の端末２におけるプロフィールのマッチングＳ１１＞
第１の端末２の第１のプロフィールマッチング部１５（図１）は、第１の端末２のプロフィールと第２の端末３のプロフィールをマッチングし、第１のマッチング結果を出力する。
【００４１】
＜ステップ１２：第２の端末３におけるプロフィールのマッチングＳ１２＞
第２の端末３の第２のプロフィールマッチング部２５（図１）は、第１の端末２のプロフィールと第２の端末３のプロフィールをマッチングし、第２のマッチング結果を出力する。
【００４２】
＜ステップ１３：第１の端末２−第２の端末３間のマッチング結果信号の伝送Ｓ１３＞
第１の端末２の第２の通信部１８（図１）は、近距離／短距離用の無線回線５（図１）を介して、第２の端末３の第４の通信部２８（図１）に、第１のマッチング結果の信号を送信する。また、第２の端末３の第４の通信部２８（図１）は、近距離／短距離用の無線回線５（図１）を介して、第１の端末２の第２の通信部１８（図１）に、第２のマッチング結果の信号を送信する。
【００４３】
＜ステップ１４：第１の端末２におけるマッチング結果の判定Ｓ１４＞
第１の端末２の第１のプロフィール判定部１６（図１）は、第１のマッチング結果と第２のマッチング結果がともにマッチングした結果となった（判定結果がＯＫ）か否か（判定結果がＮＧ）を判定する。
【００４４】
＜ステップ１５：第１の端末２における判定結果がＮＧのときの処理Ｓ１５＞
第１の端末２は、ステップ１：第１の端末２から第２の端末３への問合せＳ０１を処理できる状態Ｓ０７ａにする。
【００４５】
＜ステップ１６：第１の端末２における判定結果がＯＫのときの処理Ｓ１６＞
第１の端末２の第１のプロフィール判定部１６（図１）は、第１のマッチング結果と第２のマッチング結果がともにマッチングした結果（判定結果がＯＫ）となった第１の判定結果を出力する。第１の端末２は、次のステップを処理できる状態にする。
【００４６】
＜ステップ１７：第２の端末３におけるマッチング結果の判定Ｓ１７＞
第２の端末３の第２のプロフィール判定部２６（図１）は、第１のマッチング結果と第２のマッチング結果がともにマッチングした結果となった（判定結果がＯＫ）か否か（判定結果がＮＧ）を判定する。
【００４７】
＜ステップ１８：第２の端末３における判定結果がＮＧのときの処理Ｓ１８＞
第２の端末３は、ステップ１：第１の端末２から第２の端末３への問合せＳ０１を処理できる状態Ｓ０３ａにする。
【００４８】
＜ステップ１９：第２の端末３における判定結果がＯＫのときの処理Ｓ１９＞
第２の端末３の第２のプロフィール判定部２６（図１）は、第１のマッチング結果と第２のマッチング結果がともにマッチングした結果（判定結果がＯＫ）となった第２の判定結果を出力する。第２の端末３は、次のステップを処理できる状態にする。
【００４９】
ここで、ステップ１０：第１の端末２−第２の端末３間のプロフィール信号の伝送Ｓ１０からステップ１９：第２の端末３における判定結果がＯＫのときの処理Ｓ１９までの具体的な処理においては、次の２パターンの処理がある。第１のパターンは、図３（：第１のパターンにおけるプロフィールのマッチング／マッチングの判定に関する処理フローを示す図）を用いて説明される。第２のパターンは、図４（：第２のパターンにおけるプロフィールのマッチング／マッチングの判定に関する処理フローを示す図）を用いて説明される。
【００５０】
［第１のパターン（：図３）］
第１のパターンは、第１の端末２が第２の端末３に第１の所有プロフィールを送信し、第２の端末３が第１の端末２に第２の所有プロフィールを送信するときである。このとき、第１の端末２において、第１の端末２の第１の希望プロフィールと、第２の端末３の第２の所有プロフィールとをマッチングする。また、第２の端末３において、第１の端末２の第１の所有プロフィールと第２の端末３の第２の希望プロフィールをマッチングする。ステップ１０：第１の端末２−第２の端末３間のプロフィール信号の伝送Ｓ１０からステップ１９：第２の端末３における判定結果がＯＫのときの処理Ｓ１９までの処理は、次に記載の処理（ステップ１０−１〜ステップ１２−１）を行い、ステップ１３：第１の端末２−第２の端末３間のマッチング結果信号の伝送Ｓ１３からステップ１９：第２の端末３における判定結果がＯＫのときの処理Ｓ１９までの処理を行なう。
【００５１】
＜ステップ１０−１：第１の端末２−第２の端末３間のプロフィール信号の伝送Ｓ１０−１＞
ステップ１０：第１の端末２−第２の端末３間のプロフィール信号の伝送Ｓ１０に対応する処理であり、第１の端末２の第２の通信部１８（図１）は、近距離／短距離用の無線回線５（図１）を介して、第２の端末３の第４の通信部２８（図１）に、第１の端末２における第１の所有プロフィールの信号を送信する。また、第２の端末３の第４の通信部２８（図１）は、近距離／短距離用の無線回線５（図１）を介して、第１の端末２の第２の通信部１８（図１）に、第２の端末３における第２の所有プロフィールの信号を送信する。
【００５２】
＜ステップ１１−１：第１の端末２におけるプロフィールのマッチングＳ１１−１＞
ステップ１１：第１の端末２におけるプロフィールのマッチングＳ１１に対応する処理であり、第１の端末２の第１のプロフィールマッチング部１５（図１）は、第１の端末２における第１の希望プロフィールと第２の端末３における第２の所有プロフィールをマッチングし、第１のマッチング結果を出力する。
【００５３】
＜ステップ１２−１：第２の端末３におけるプロフィールのマッチングＳ１２−１＞
ステップ１２：第２の端末３におけるプロフィールのマッチングＳ１２に対応する処理であり、第２の端末３の第２のプロフィールマッチング部２５（図１）は、第１の端末２における第１の所有プロフィールと第２の端末３における第２の希望プロフィールをマッチングし、第２のマッチング結果を出力する。
【００５４】
［第２のパターン（：図４）］
第２のパターンは、第１の端末２が第２の端末３に第１の希望プロフィールを送信し、第２の端末３が第１の端末２に第２の希望プロフィールを送信するときである。このとき、第１の端末２において、第１の端末２の第１の所有プロフィールと第２の端末３の第２の希望プロフィールをマッチングする。また、第２の端末３において、第１の端末２の第１の希望プロフィールと第２の端末３の第２の所有プロフィールをマッチングする。ステップ１０：第１の端末２−第２の端末３間のプロフィール信号の伝送Ｓ１０からステップ１９：第２の端末３における判定結果がＯＫのときの処理Ｓ１９までの処理は、次に記載の処理（ステップ１０−２〜ステップ１２−２）を行い、ステップ１３：第１の端末２−第２の端末３間のマッチング結果信号の伝送Ｓ１３からステップ１９：第２の端末３における判定結果がＯＫのときの処理Ｓ１９までの処理を行なう。
【００５５】
＜ステップ１０−２：第１の端末２−第２の端末３間のプロフィール信号の伝送Ｓ１０−２＞
ステップ１０：第１の端末２−第２の端末３間のプロフィール信号の伝送Ｓ１０に対応する処理であり、第１の端末２の第２の通信部１８（図１）は、近距離／短距離用の無線回線５（図１）を介して、第２の端末３の第４の通信部２８（図１）に、第１の端末２における第１の希望プロフィールの信号を送信する。また、第２の端末３の第４の通信部２８（図１）は、近距離／短距離用の無線回線５（図１）を介して、第１の端末２の第２の通信部１８（図１）に、第２の端末３における第２の希望プロフィールの信号を送信する。
【００５６】
＜ステップ１１−２：第１の端末２におけるプロフィールのマッチングＳ１１−２＞
ステップ１１：第１の端末２におけるプロフィールのマッチングＳ１１に対応する処理であり、第１の端末２の第１のプロフィールマッチング部１５（図１）は、第１の端末２における第１の所有プロフィールと第２の端末３における第２の希望プロフィールをマッチングし、第１のマッチング結果を出力する。
【００５７】
＜ステップ１２−２：第２の端末３におけるプロフィールのマッチングＳ１２−２＞
ステップ１２：第２の端末３におけるプロフィールのマッチングＳ１２に対応する処理であり、第２の端末３の第２のプロフィールマッチング部２５（図１）は、第１の端末２における第１の希望プロフィールと第２の端末３における第２の所有プロフィールをマッチングし、第２のマッチング結果を出力する。
【００５８】
再び、図２を用いてコミュニケーション支援システムの処理フローが説明される。
【００５９】
＜ステップ２０：第１の端末２におけるマッチング結果と判定結果の一時記憶Ｓ２０＞
第１の端末２は、第１の所定の時間の間、第１のマッチング結果と第１の判定結果を、第１のテンポラリー記憶部１４（図１）に記憶する。
【００６０】
＜ステップ２１：第２の端末３におけるマッチング結果と判定結果の一時記憶Ｓ２１＞
第２の端末３は、第１の所定の時間の間、第２のマッチング結果と第２の判定結果を、第２のテンポラリー記憶部２４（図１）に記憶する。
【００６１】
＜ステップ２２：第１の端末２における判定結果がＯＫの通知Ｓ２２＞
第１の端末２の第１の通知部１９（図１）は、例えば音を鳴らす、振動を発生させるなどにより、第１の判定結果がＯＫであったことを第１のユーザに通知する。
【００６２】
＜ステップ２３：第２の端末３における判定結果がＯＫの通知Ｓ２３＞
第２の端末３の第２の通知部２９（図１）は、例えば音を鳴らす、振動を発生させるなどにより、第２の判定結果がＯＫであったことを第２のユーザに通知する。
【００６３】
＜ステップ２４：第１の端末２における第１判定結果がＯＫとなった第２の端末３の情報の通知Ｓ２４＞
第１の端末２の第１の通知部１９（図１）は、第１のマッチング記憶部１４（図１）から、第１の判定結果がＯＫとなった第２の端末３の情報を、第１のユーザに通知（例えば、第１の端末２の表示画面に表示）する。第１のユーザに通知する項目は、第２の所定時間の間、例えば、第２の端末３の電話番号、第２の端末３の電子メールアドレスを通知するとともに、第１の端末２のプロフィールと第２の端末３のプロフィールとの間においてマッチングした項目を通知する。
【００６４】
＜ステップ２５：第２の端末３における第２の判定結果がＯＫとなった第１の端末２の情報の通知Ｓ２５＞
第２の端末３の第２の通知部２９（図１）は、第２のマッチング記憶部２４（図１）から、第２の判定結果がＯＫとなった第１の端末２の情報を、第２のユーザに通知（例えば、第２の端末３の表示画面に表示）する。第２のユーザに通知する項目は、第２の所定時間の間、例えば、第１の端末２の電話番号、第１の端末２の電子メールアドレスを通知するとともに、第１の端末２のプロフィールと第２の端末３のプロフィールとの間においてマッチングした項目を通知する。
【００６５】
＜ステップ３１：第１の端末２における第２の端末３の選択Ｓ３１＞
第１の端末２は、ステップ２４において通知された第２の端末３の情報から、第２の端末３を選択する。ここで、第１の端末２から第２の端末３に電話をかける場合、第１の端末２は、第２の端末３の電話番号を選択する。
【００６６】
＜ステップ３２：第１の端末２から第２の端末３への接続要求Ｓ３２＞
第１の端末２の第１の通信部１７（図１）は、移動通信網４（図１）を介して、第２の端末３の第３の通信部２７（図１）に接続要求信号を送信する。
【００６７】
＜ステップ３３：第２の端末３における接続要求信号の通知Ｓ３３＞
第２の端末３の第２の通知部２９（図１）は、第１の端末２から電話の接続要求があることを通知（例えば、第２の端末３の表示画面に表示）する。第２の端末３の第２の通知部２９（図１）は、例えば、第１のマッチング記憶部１４（図１）に記憶される第１の端末２の電話番号、第１の端末２のプロフィールと第２の端末３のプロフィールとの間においてマッチングした項目を通知する。
【００６８】
＜ステップ３４：第２の端末３から第１の端末２への接続要求の応答待ち信号の送信Ｓ３４＞
第２の端末３の第３の通信部２７（図１）は、移動通信網４（図１）を介して、第１の端末２の第１の通信部１７（図１）に接続要求の応答待ち信号を送信する。
【００６９】
＜ステップ３５：第２の端末３から第１の端末２への接続要求の応答信号の送信Ｓ３５＞
第１の端末２からの接続要求信号に対して第２のユーザが電話に出たならば、第２の端末３の第３の通信部２７（図１）は、移動通信網４（図１）を介して、第１の端末２の第１の通信部１７（図１）に接続要求の応答信号を送信する。
【００７０】
＜ステップ３６：第１の端末２から第２の端末３への接続要求の確認応答信号の送信Ｓ３６＞
第１の端末２の第１の通信部１７（図１）は、移動通信網４（図１）を介して、第２の端末３の第３の通信部２７（図１）に接続要求の確認応答信号を送信する。第１の端末２の第１の通信部１７（図１）と第２の端末３の第３の通信部２７（図１）は、移動通信網４（図１）を介して、通話が出来る状態となる。
【００７１】
＜ステップ３７：第１の端末２−第２の端末３間の通話Ｓ３７＞
第１の端末２の第１の通信部１７（図１）と第２の端末３の第３の通信部２７（図１）は、移動通信網４（図１）を介して、通話する。
【００７２】
なお、次のステップの処理は、所定の時間内に並列に処理される。
【００７３】
ステップ１１：第１の端末２におけるプロフィールのマッチングＳ１１と、ステップ１２：第２の端末３におけるプロフィールのマッチングＳ１２は、第３の所定の時間内に並列に処理される。
【００７４】
ステップ１４：第１の端末２におけるマッチング結果の判定Ｓ１４、ステップ１５：第１の端末２における判定結果がＮＧのときの処理Ｓ１５、ステップ１６：第１の端末２における判定結果がＯＫのときの処理Ｓ１６と、ステップ１７：第２の端末３におけるマッチング結果の判定Ｓ１７、ステップ１８：第２の端末３における判定結果がＮＧのときの処理Ｓ１８、ステップ１９：第２の端末３における判定結果がＯＫのときの処理Ｓ１９は、第４の所定の時間内に並列に処理される。
【００７５】
ステップ２０：第１の端末２におけるマッチング結果と判定結果の一時記憶Ｓ２０と、ステップ２１：第２の端末３におけるマッチング結果と判定結果の一時記憶Ｓ２１は、第５の所定の時間内に並列に処理される。
【００７６】
ステップ２２：第１の端末２における判定結果がＯＫの通知Ｓ２２と、ステップ２３：第２の端末３における判定結果がＯＫの通知Ｓ２３は、第６の所定の時間内に並列に処理される。
【００７７】
ステップ２４：第１の端末２における判定結果がＯＫとなった第２の端末３の情報の通知Ｓ２４と、ステップ２５：第２の端末３における判定結果がＯＫとなった第１の端末２の情報の通知Ｓ２５は、第７の所定の時間内に並列に処理される。
【００７８】
ステップ３３：第２の端末３における接続要求信号の通知Ｓ３３と、ステップ３４：第２の端末３から第１の端末２への接続要求の応答待ち信号の送信Ｓ３４は、第８の所定の時間内に並列に処理される。
【００７９】
（Ａ−３）第１の実施形態の効果
本発明の第１の実施形態によれば、街中や雑踏で端末同士が近づき、お互いのプロフィールの交換を行い、交信希望の端末が見つかれば、その情報が端末のユーザに通知されるので、両ユーザの出会いの機会を支援し、電話を用いた通信手段により出会いを実現することが可能となる。本発明の第１の実施形態に示したシステムによる出会いは、局所的で、即応性があるため、ユーザにとって、より有効な出会いが提供できる。
【００８０】
（Ｂ）第２の実施形態
（Ｂ−１）第２の実施形態の構成
第２の実施形態の構成は、（Ａ−１）第１の実施形態の構成（図１の本発明のコミュニケーション支援システムの構成）と同様であるので、詳細な構成の説明は、省略する。
【００８１】
（Ｂ−２）第２の実施形態の動作
【００８２】
図５は本発明の第２の実施形態におけるコミュニケーション支援システムの処理フローを示す図であり、図５を用いてコミュニケーション支援システムの処理フローが説明される。第２の実施形態の動作における処理は、第１の実施形態におけるステップ１：第１の端末２から第２の端末３への問合せＳ０１からステップ２５：第２の端末３における判定結果がＯＫとなった第１の端末２の情報の通知Ｓ２５までの処理と同様である。第２の実施形態の動作における処理は、第１の実施形態におけるステップ３１：第１の端末２における第２の端末３の選択Ｓ３１からステップ３７：第１の端末２−第２の端末３間の通話Ｓ３７までの電話による通話の替わりに、電子メールを用いた処理を下記に示す。
【００８３】
＜ステップ４１：第１の端末２における第２の端末３の選択Ｓ３１＞
第１の端末２は、ステップ２４において通知された第２の端末３の情報から、第２の端末３を選択する。ここで、第１の端末２から第２の端末３に  電子メールを送信する場合、第１の端末２は、第２の端末３の電子メールアドレスを選択する。
【００８４】
＜ステップ４２：第１の端末２から第２の端末３への電子メールの送信Ｓ４２＞
第１の端末２の第１の通信部１７（図１）は、移動通信網４（図１）を介して、第２の端末３の第３の通信部２７（図１）に電子メールを送信する。
【００８５】
＜ステップ４３：第２の端末３における電子メール着信の通知Ｓ４３＞
第２の端末３の第２の通知部２９（図１）は、第１の端末２から電子メールが届いたことを通知（例えば、第２の端末３の表示画面に表示）する。第２の端末３の第２の通知部２９（図１）は、例えば、第１のマッチング記憶部１４（図１）に記憶される第１の端末２の電子メールアドレス、第１の端末２のプロフィールにおいてマッチングした項目を通知（例えば、第２の端末３の表示画面に表示）する。
【００８６】
＜ステップ４４：第１の端末２−第２の端末３間の電子メールの送信Ｓ４４＞
第１の端末２の第１の通信部１７（図１）と第２の端末３の第３の通信部２７（図１）は、移動通信網４（図１）を介して、電子メールを送信しあう。
【００８７】
（Ｂ−３）第２の実施形態の効果
本発明の第２の実施形態によれば、第１の実施形態に示した電話を用いた通信手段のみならず、電子メールを用いた通信手段でも、両ユーザの出会いの機会を支援することが可能となる。
【図面の簡単な説明】
【００８８】
【図１】本発明のコミュニケーション支援システムの構成を示す図である。
【図２】本発明の第１の実施形態におけるコミュニケーション支援システムの処理フローを示す図である。
【図３】パターン１におけるプロフィールのマッチング／マッチングの判定に関する処理フローを示す図である。
【図４】パターン２におけるプロフィールのマッチング／マッチングの判定に関する処理フローを示す図である。
【図５】本発明の第２の実施形態におけるコミュニケーション支援システムの処理フローを示す図である。
【符号の説明】
【００８９】
１・・・コミュニケーション支援システム、２・・・第１の端末、３・・・第２の端末、４・・・移動通信網、５・・・近距離／短距離用の無線回線、１１・・・第１の記憶部、１２・・・第１の所有プロフィール記憶部、１３・・・第１の希望プロフィール記憶部、１４・・・第１のテンポラリー記憶部、１５・・・第１のプロフィールマッチング部、１６・・・第１のプロフィール判定部、１７・・・第１の通信部、１８・・・第２の通信部、１９・・・第１の通知部、２１・・・第２の記憶部、２２・・・第２の所有プロフィール記憶部、２３・・・第２の希望プロフィール記憶部、２４・・・第２のテンポラリー記憶部、２５・・・第２のプロフィールマッチング部、２６・・・第２のプロフィール判定部、２７・・・第３の通信部、２８・・・第４の通信部、２９・・・第２の通知部。
【図１】
2008245113.tif 000003
【図２】
2008245113.tif 000004
【図３】
2008245113.tif 000005
【図４】
2008245113.tif 000006
【図５】
2008245113.tif 000007